【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
第１の電池端子と第２の電池端子と、
複数の電池ユニットと、
前記電池ユニットと交互に配列されてデイジーチェーンバスを定義する複数のバスインターフェースと、
前記デイジーチェーンバスを介して前記電池ユニットと通信するように配置される電池マネージャーと、
を備え、
各前記電池ユニットは、
電池セルと、
直列に置かれる１セットのレジスターを含む、前記電池セルと電気的に接続されるセル監視部と、
データバッファを含む、前記セル監視部と通信するように配置される通信部と、
を有し、
すべての前記電池セルが直列に前記第１の電池端子と前記第２の電池端子の間に接続され、
各前記バスインターフェースは、信号の通信を行うために配置され、それぞれに近隣する２つの前記電池ユニットの通信部に接続され、
前記電池パックは、スルーモードのプロトコルで前記電池マネージャーから前記電池ユニットにコマンドメッセージを送り、各前記電池ユニットが少なくとも確認メッセージとサービスリクエストの一方をシフトモードのプロトコルで前記電池マネージャーに送るように配置され、前記スルーモードのプロトコルでは、データはデータバッファを介して送信される一方で、前記シフトモードのプロトコルでは、データは前記１セットのレジスターに沿ってシフトされることを特徴とする電池パック。
【請求項２】
請求項１に記載の電池パックにおいて、
セルマネージャーを有し、前記電池マネージャーと前記デイジーチェーンバスの間に信号の通信を行うために配置される通信モジュールをさらに備えることを特徴とする電池パック。
【請求項３】
請求項２に記載の電池パックにおいて、
前記セルマネージャーは、接地電位と第１及び第２の電池端子の一方の間に接続される抵抗を跨いで電気的接続されることを特徴とする電池パック。
【請求項４】
請求項１に記載の電池パックにおいて、
時分割多重化を行う半二重化通信を利用して前記電池マネージャーと前記電池ユニットの間の通信を行うように配置されることを特徴とする電池パック。
【請求項５】
請求項１に記載の電池パックにおいて、
前記電池マネージャーが前記スルーモードのプロトコルで前記コマンドメッセージを前記電池ユニットに送ると、もっとも前記電池マネージャーと離れる電池セルを除くすべての電池ユニットが前記コマンドメッセージを次の前記電池ユニットに中継して、すべての電池ユニットが前記コマンドメッセージを受信するように配置されることを特徴とする電池パック。
【請求項６】
請求項１に記載の電池パックにおいて、
前記確認メッセージが前記電池セルの状態を反映するデータを含むことを特徴とする電池パック。
【請求項７】
請求項１に記載の電池パックにおいて、
各前記電池ユニットが前記コマンドメッセージを受信すると、当該電池ユニットが少なくとも前記確認メッセージと前記サービスリクエストの一方を前記電池マネージャーに送るように配置されることを特徴とする電池パック。
【請求項８】
請求項７に記載の電池パックにおいて、
前記電池セルは、少なくとも前記確認メッセージと前記サービスリクエストの一方を、
前記デイジーチェーンバスに沿ってより前記電池マネージャーに近い、近隣する前記電池ユニットに転送することによって、少なくとも前記確認メッセージと前記サービスリクエストの一方を前記電池マネージャーに送ることを特徴とする電池パック。
【請求項９】
電池マネージャーを備える電池パックに使用される電池ユニットであって、
電池セルと、
直列に配置される１セットのレジスターを含む、前記電池セルと電気的に接続されるセル監視部と、
データバッファを含む、前記セル監視部と通信するように配置される通信部と、
を備え、
前記電池ユニットは、スルーモードのプロトコルで前記電池マネージャーからコマンドメッセージを受信して、少なくとも確認メッセージとサービスリクエストの一方をシフトモードのプロトコルで前記電池マネージャーに送るように配置され、スルーモードのプロトコルでは、データはデータバッファを介して送信される一方で、シフトモードのプロトコルでは、データは１セットのレジスターに沿ってシフトされることを特徴とする電池ユニット。
【請求項１０】
請求項９に記載の電池ユニットにおいて、
前記確認メッセージが前記電池セルの状態を反映するデータを含むことを特徴とする電池ユニット。
【請求項１１】
請求項９に記載の電池ユニットにおいて、
前記電池ユニットが前記コマンドメッセージを受信すると、少なくとも前記確認メッセージと前記サービスリクエストの一方を前記電池マネージャーに送るように配置されることを特徴とする電池ユニット。
【請求項１２】
電池マネージャーと複数の電池ユニットを接続するデイジーチェーンバスを介して通信を行う方法であって、
前記デイジーチェーンバスを介してスルーモードのプロトコルでコマンドメッセージを前記電池マネージャーから前記電池ユニットに送るステップであって、このとき、前記スルーモードのプロトコルでは、データは、各前記バッテリユニット内に各々配列される複数のデータバッファを介して送信される、ステップと、
前記デイジーチェーンバスを介してシフトモードのプロトコルで少なくとも確認メッセージとサービスリクエストの一方を少なくとも１つの前記電池ユニットから前記電池マネージャーに送るステップであって、このとき、前記シフトモードのプロトコルでは、データは、各前記バッテリユニット内に直列に置かれる、複数セットのレジスターの各セットに沿ってシフトされる、ステップと、
を含むことを特徴とする方法。
【請求項１３】
請求項１２に記載の方法において、
時分割多重化を行う半二重化通信を利用して、前記コマンドメッセージおよび少なくとも前記確認メッセージと前記サービスリクエストの一方の送信を実施するステップを含むことを特徴とする方法。
【請求項１４】
請求項１２に記載の方法において、
前記電池ユニットへ前記コマンドメッセージを送るステップには、もっとも前記電池マネージャーと離れる電池ユニットを除くすべての前記電池ユニットが前記コマンドメッセージを次の前記電池ユニットに中継して、すべての前記電池ユニットが前記コマンドメッセージを受信するステップを含むことを特徴とする方法。
【請求項１５】
請求項１２に記載の方法において、
前記確認メッセージが前記電池セルの状態を反映するデータを含むことを特徴とする方法。
【請求項１６】
請求項１２に記載の方法において、
各前記電池ユニットが前記コマンドメッセージを受信すると、前記電池ユニットが少なくとも前記確認メッセージと前記サービスリクエストの一方を前記電池マネージャーに送るステップをさらに含むことを特徴とする方法。
【請求項１７】
請求項１６に記載の方法において、
前記電池ユニットが少なくとも前記確認メッセージと前記サービスリクエストの一方を前記電池マネージャーに送るステップに、少なくとも前記確認メッセージと前記サービスリクエストの一方を前記デイジーチェーンバスに沿ってより前記電池マネージャーに近い、近隣する前記電池ユニットに転送することを含むことを特徴とする方法。
【請求項１８】
請求項１２に記載の方法において、
アクノリッジメントおよび少なくとも状態情報と電池セルデータの一方を含むアクノリッジメントメッセージを、前記電池ユニットから前記電池マネージャーに送るステップをさらに含むことを特徴とする方法。
【請求項１９】
請求項１２に記載の方法において、
前記電池マネージャーから少なくとも前記電池ユニットの一部に中断メッセージを送って強制的に前記システムを制御するステップをさらに含むことを特徴とする方法。
【請求項２０】
請求項１２に記載の方法において、
アラーム状態で、電池ユニットから前記電池マネージャーにサービスリクエストメッセージを送ってサービスを要求するステップをさらに含むことを特徴とする方法。
【手続補正２】
【補正対象書類名】明細書
【補正対象項目名】００４０
【補正方法】変更
【補正の内容】
【００４０】
選択的に、2つまたは2つ以上（n）のセルは１つのLIICS装置に接続されることが可能である。そのLIICS装置は単位セル装置に相当し、LIICS装置におけるｎセットのレジスターにパラメーターを通用する。
【手続補正３】
【補正対象書類名】明細書
【補正対象項目名】００７５
【補正方法】変更
【補正の内容】
【００７５】
放送コマンド（ホストから送られる）が受信されることで、確認データの伝送が（LIICS装置で）トリガーされることによって、そのような確認データが非常に短い待ち時間でホストに戻る。しかし、もっと離れる各デイジーチェーンセグメントについて、余分な２つのバスセグメントにわたる必要があるため、確認データの戻りにはさらなる２つのセグメント待ち時間の期間がかかる。対策として、通信レジスター335を利用してそのタイミング問題を補償し、それらのレジスターからなるチェーンを通過する際に通信レジスター335が遅延を起こす。１つのバスセグメントを介した通信待ち時間がそのシフトレジスターの半分の容量より少なくさえあれば、そのようなシフトレジスターは、自身の確認メッセージを送りながら、もっと離れるLIICS装置の当該確認メッセージがキャプチャーされてその同一なシフトレジスターにシフトされることで、もっと離れるLIICS装置による遅れる応答を補償することができる。